(57)【要約】【課題】安全性を向上させることが可能な入金装置を提供する。【解決手段】入出金口２０２は、現金を受け付ける。読取部２０８は、プリペイドする現金の金額である購入金額に対応づけられた商品コードを読み取る。制御部２１０は、読取部２０８が商品コードを読み取ると、読み取られた商品コードに対応づけられた購入金額分の現金の入金を要求し、入金口２０２が購入金額分の現金を受け付けると、その金額分のプリペイドを証明する暗証番号を通知する。【選択図】図２
2020107165.tif 000002
【特許請求の範囲】
【請求項１】
現金を受け付ける入金口と、
プリペイドする現金の金額に対応づけられた商品コードを読み取る読取部と、
前記読取部が前記商品コードを読み取ると、当該商品コードに対応づけられた金額分の現金の入金を要求し、前記入金口が前記金額分の現金を受け付けると、当該金額分のプリペイドを証明する暗証番号を通知する制御部と、を有する入金装置。
【請求項２】
発券を行う発券口をさらに有し、
前記制御部は、前記発券口から前記暗証番号を記載した通知票を発券することで、前記暗証番号を通知する、請求項１に記載の入金装置。
【請求項３】
近距離無線通信を行う近距離通信部をさらに有し、
前記制御部は、前記暗証番号を、前記近距離通信部を介して通知する、請求項１に記載の入金装置。
【請求項４】
前記暗証番号を発行する管理装置と接続する通信部をさらに有し、
前記制御部は、前記入金口が前記金額分の現金を受け付けると、前記通信部を介して前記管理装置から前記暗証番号を取得し、当該取得した暗証番号を通知する、請求項１ないし３のいずれか１項に記載の入金装置。
【請求項５】
現金を出力する出金口をさらに有し、
前記制御部は、前記暗証番号の取得に失敗した場合、前記入金口が受け付けた金額分の現金を前記出金口から返金する、請求項４に記載の入金装置。
【請求項６】
前記制御部は、前記読取部が前記商品コードを読み取ると、前記管理装置が前記暗証番号を発行できる状態か否かを確認し、前記暗証番号を発行できる状態でない場合、異常が発生した旨の異常発生情報を通知する、請求項４又は５に記載の入金装置。
【請求項７】
前記商品コードは、カードに印刷されている、請求項１ないし６のいずれか１項に記載の入金装置。
【発明の詳細な説明】
【技術分野】
【０００１】
本発明は、現金を入金する入金装置に関する。
【背景技術】
【０００２】
近年、オンラインショッピングのような電子商取引の分野では、一定の金額分の現金をプリペイド（前払い）するプリペイド方式が普及している。
【０００３】
プリペイド方式で商品やサービスの決済を行うためには、先ず、コンビニエンスストアなどの所定の店舗で一定の金額分の現金を支払って、プリペイドカードを有効化し、その後、購入商品や購入サービスの決済時にプリペイドカードに予め記載されているＰＩＮ（Personal Identification Number）コードを入力する必要がある（特許文献１参照）。
【先行技術文献】
【特許文献】
【０００４】
【特許文献１】特開２０１０−１６５１１５号公報
【発明の概要】
【発明が解決しようとする課題】
【０００５】
しかしながら、プリペイドカードには、ＰＩＮコードが予め記載されているため、プリペイドカードが有効化される前に第三者によってＰＩＮコードが盗み見されてしまう恐れがある。この場合、ユーザが現金を支払って、プリペイドカードを有効化した後で、第三者が盗み見したＰＩＮコードを入力することで、ユーザになりすましてプリペイドカードを使用することができ、安全性に課題があった。
【０００６】
なお、プリペイドカードに記載のＰＩＮコードは、通常、シールやスクラッチ印刷などにより隠蔽されているが、シールやスクラッチ印刷は第三者によって剥がされてしまう恐れがあり、なりすまし抑制効果は十分ではない。
【０００７】
本発明は、上記の問題を鑑みてなされたものであり、安全性を向上させることが可能な入金装置を提供することを目的とする。
【課題を解決するための手段】
【０００８】
本発明による入金装置は、現金を受け付ける入金口と、プリペイドする現金の金額に対応づけられた商品コードを読み取る読取部と、前記読取部が前記商品コードを読み取ると、当該商品コードに対応づけられた金額分の現金の入金を要求し、前記入金口が前記金額分の現金を受け付けると、当該金額分のプリペイドを証明する暗証番号を通知する制御部と、を有する。
【発明の効果】
【０００９】
本発明によれば、現金をプリペイドした後で暗証番号が通知されるため、ユーザが現金を支払う前に第三者が暗証番号を盗み見することを防止することが可能になり、安全性を向上させることが可能になる。
【図面の簡単な説明】
【００１０】
【図１】本発明の第１の実施形態のプリペイド管理システムを示す図である。
【図２】本発明の第１の実施形態の発券機の構成を示すブロック図である。
【図３】本発明の第１の実施形態のプリペイド管理装置の構成を示すブロック図である。
【図４】本発明の第１の実施形態のプリペイド管理システムの動作を説明するためのシーケンス図である。
【図５】本発明の他の実施形態の発券機の構成を示すブロック図である。
【発明を実施するための形態】
【００１１】
以下、本発明の実施形態について図面を参照して説明する。なお、各図面において同じ機能を有するものには同じ符号を付け、その説明を省略する場合がある。
【００１２】
（第１の実施形態）
図１は、本願発明の第１の実施形態のプリペイド管理システムを示す図である。図１に示すプリペイド管理システム１は、ダミーカード１００と、発券機２００と、プリペイド管理装置３００と、商品マスタ管理装置５００とを有する。発券機２００、プリペイド管理装置３００及び商品マスタ管理装置５００は、通信ネットワーク４００を介して互いに通信可能に接続されている。通信ネットワーク４００は、インターネットのような汎用回線でもよいし、特定の専用回線でもよい。
【００１３】
ダミーカード１００は、プリペイド（前払い）した現金を使用するためのプリペイドカードのダミーとして使用されるカードであり、暗証番号であるＰＩＮコードを購入するために使用される。具体的には、所定の購入金額分の現金をプリペイドすることで、そのプリペイドした現金を使用するためのＰＩＮコードを取得することができる。
【００１４】
ダミーカード１００は、ＰＩＮコードを購入するための商品コードを表示する表示媒体として機能する。本実施形態では、商品コードは、２次元コードやバーコード等によってダミーカード１００に印刷されている。なお、ダミーカード１００には、ダミーカード１００の使い方やダミーカード１００の使用上の注意事項などが記載されていてもよい。また、ダミーカード１００は、プリペイド管理システム１のユーザが自由に取得できるように、発券機２００の近傍やＯＯＨ(Out Of Home media)用のスペースなどに予め取り外し可能に掲示されることが望ましい。
【００１５】
商品コードは、例えば、ＪＡＮコード等からなり、商品マスタ管理装置５００において、ダミーカード１００に印刷された商品コードが、このダミーカード１００を用いて購入可能なＰＩＮコードを識別可能なものとなっている。商品マスタ管理装置５００においては、商品としてダミーカード１００を特定する商品識別情報である商品ＩＤや、プリペイドカードを購入する金額である購入金額が、商品コードに対応づけられている。購入金額は、ダミーカード１００ごとに異なっていてもよい。例えば、２次元コードは、購入金額として、１０００円、２０００円及び５０００円のいずれかを示す。なお、ダミーカード１００の代わりに、商品コードが表示されたシール等を用いることも考えられる。
【００１６】
発券機２００は、券類の発券（発行）を行う装置であり、プリペイドカードを購入するための現金を入金する入金装置としても使用される。券類としては、乗車券、特別急行券、乗船券、航空券、入場券及び食券など、一般的な券類を発券するものが挙げられ、これらの発券機２００が本発明によるプリペイド番号通知票を発券することになるが、これらに限らない。本実施形態では、発券機２００は、特定の交通機関の駅などに設けられ、その交通機関の乗車券や特別急行券などを発券するものとする。
【００１７】
プリペイド管理装置３００は、プリペイドカードを管理する管理装置であり、プリペイドされた現金を使用するためのＰＩＮコードを発行する。プリペイド管理装置３００は、互いに異なるサービスを提供する複数のサーバから構成されてもよい。
【００１８】
図２は、図１に示した発券機２００の構成の一例を示すブロック図である。図２に示す発券機２００は、収納部２０１と、入出金口２０２と、発券口２０３と、駆動部２０４と、表示部２０５と、入力部２０６と、読取部２０８と、通信部２０９と、制御部２１０とを有する。
【００１９】
収納部２０１は、現金や用紙を収納する。入出金口２０２は、現金を入出金する。入出金口２０２は、現金を出力する（出金する）出金口と現金を受け付ける（入金する）入金口とを別々に備えた構成でもよいし、出金口と入金口とが一体化された構成でもよい。
【００２０】
発券口２０３は、本発明によるプリペイド番号通知票を含み、乗車券や特別急行券などの券類や、ＰＩＮコードの購入に関する領収書などを発券する。駆動部２０４は、制御部２１０によって制御され、収納部２０１に収納された現金を入出金口２０２から出金したり、入出金口２０２に投入された現金を収納部２０１に収納したり、収納部２０１に収納された用紙に印字を行うことで券類や領収書を作成して発券口２０３から発券したりする。
【００２１】
表示部２０５は、種々の情報を表示する。入力部２０６は、ユーザから種々の情報を受け付ける。例えば、入力部２０６は、ＰＩＮコードを購入する購入処理を要求する購入要求と、購入処理を継続するか否かを示す継続確認結果情報を受け付ける。なお、表示部２０５及び入力部２０６は、タッチパネルなどを用いて一体化されていてもよい。
【００２２】
記憶部２０７は、種々の情報を記憶する。読取部２０８は、ダミーカード１００に表示された商品コードを読み取る。通信部２０９は、通信ネットワーク４００を介してプリペイド管理装置３００と通信可能に接続する。通信部２０９は、例えば、プリペイド管理装置３００から、ＰＩＮコードの購入を予約する予約処理の成否を示す予約結果通知と、ＰＩＮコードを発行する発行処理の成否を示す発行結果通知とを受信する。発行結果通知は、発行処理の成功を示す場合、ＰＩＮコードと、ＰＩＮコードの購入ごとに採番される取引識別情報である取引ＩＤ（Identification）とを含む。
【００２３】
制御部２１０は、発券機２００全体を制御する。例えば、入力部２０６が購入要求を受け付けた場合、制御部２１０は、読取部２０８を商品コードの読み取りが可能な状態にする。
【００２４】
読取部２０８が商品コードを読み取った場合、制御部２１０は、その読み取られた商品コードに商品マスタ管理装置５００にて対応づけられた商品情報（具体的には、商品情報に含まれる商品ＩＤ）に基づいて、ダミーカード１００（商品コード）が発券機２００に対応しているか否かを判断する。例えば、発券機２００に対応したダミーカード１００の商品ＩＤを商品マスタ管理装置５００の記憶部（不図示）に予め記憶しておき、商品マスタ管理装置５００は、商品コードが示す商品ＩＤが記憶部に記憶されているか否かを確認する。制御部２１０は、商品コードが示す商品ＩＤが商品マスタ管理装置５００の記憶部に記憶されている場合、ダミーカード１００が発券機２００に対応していると判断し、商品コードが示す商品ＩＤが商品マスタ管理装置５００の記憶部に記憶されていない場合、ダミーカード１００が発券機２００に対応していないと判断する。
【００２５】
ダミーカード１００が発券機２００に対応している場合、制御部２１０は、ＰＩＮコードを購入する購入処理を継続するか否かを確認する決済確認画面を表示部２０５に表示する。決済確認画面は、ＰＩＮコードの購入に関する注意事項などを含んでもよい。
【００２６】
入力部２０６が購入処理の継続を示す継続確認結果情報を受け付けた場合、制御部２１０は、プリペイド管理装置３００がＰＩＮコードを発行できる状態か否かを確認する。本実施形態では、制御部２１０は、ＰＩＮコードの購入を予約する予約処理を要求する購入予約要求を、プリペイド管理装置３００に送信し、その後、所定時間内に通信部２０９が予約処理の成功を示す予約結果通知を受信した場合、プリペイド管理装置３００がＰＩＮコードを発行できる状態であると判断する。
【００２７】
なお、制御部２１０は、購入予約要求の送信後、通信部２０９が予約処理の失敗を示す予約結果通知を受信した場合、及び、所定時間内に通信部２０９が予約結果通知を受信しなかった場合、プリペイド管理装置３００がＰＩＮコードを発行できる状態ではないと判断する。この場合、制御部２１０は、異常が発生した旨の異常発生情報を表示部２０５に表示することで、異常発生情報をユーザに通知する。
【００２８】
プリペイド管理装置３００がＰＩＮコードを発行できる状態の場合、制御部２１０は、商品マスタ管理装置５００にて商品コードに対応づけられた商品情報に含まれる購入金額分の現金の入金を要求する入金要求画面を表示部２０５に表示することで、購入金額分の現金の入金をユーザに要求する。なお、入金要求画面は、購入金額を含んでいる。
【００２９】
その後、入出金口２０２が購入金額分の現金を受け付けると、制御部２１０は、プリペイド管理装置３００からＰＩＮコードを取得し、その取得したＰＩＮコードをユーザに通知する。
【００３０】
具体的には、先ず、制御部２１０は、ＰＩＮコードの取得要求として購入金額分の現金を受領した旨の受領成立通知をプリペイド管理装置３００に送信する。受領成立通知は、購入金額を示す購入金額情報などを含む。制御部２１０は、受領成立通知の送信後、所定時間内に通信部２０９がＰＩＮコードを発行する発行処理の成功を示す発行結果通知を受信した場合、その発行結果通知に含まれるＰＩＮコード及び取引ＩＤを記載したプリペイド番号通知票を発券口２０３から発行する。例えば、制御部２１０は、駆動部２０４を制御して、収納部２０１に収納されている用紙に対してＰＩＮコード及び取引ＩＤを印字し、その印字した用紙を発券口２０３まで搬送して、発券口２０３からプリペイド番号通知票として発券する。
【００３１】
プリペイド番号通知票は、本実施形態では、ＰＩＮコードの購入に関する領収書と別体とされ、領収書とともに、発券口２０３から発券される。プリペイド番号通知票には、ＰＩＮコード及び取引ＩＤが印字されている一方、領収書には、ＰＩＮコードの購入を証明するために必要な情報（購入日時や購入金額など）が記載される。
【００３２】
なお、制御部２１０は、受領成立通知の送信後、通信部２０９が発行処理の失敗を示す発行結果通知を受信した場合、及び、所定時間内に通信部２０９が発行結果通知を受信しなかった場合、ＰＩＮコードの取得に失敗したと判断して、購入金額分の現金を入出金口２０２から返金する。
【００３３】
図３は、図１に示したプリペイド管理装置３００の構成の一例を示すブロック図である。図３に示すプリペイド管理装置３００は、接続部３０１と、格納部３０２と、管理部３０３とを有する。
【００３４】
接続部３０１は、通信ネットワーク４００を介して発券機２００と通信可能に接続する。例えば、接続部３０１は、発券機２００から購入予約要求及び受領成立通知を受信する。
【００３５】
格納部３０２は、プリペイドカードを管理するための管理情報を、プリペイドカードを識別するカード識別情報ごとに格納する。管理情報は、ＰＩＮコードと、プリペイドカードの状態を示す状態情報と、残高を示す残高情報と、取引ＩＤとを含む。状態情報は、例えば、有効化されていない無効状態、予約されたことを示す予約状態、有効化されていることを示す有効状態などを示す。
【００３６】
管理部３０３は、プリペイド管理装置３００全体を管理する。
【００３７】
例えば、接続部３０１が購入予約要求を受信した場合、管理部３０３は、プリペイドカードの購入を予約する予約処理を実行する。予約処理では、例えば、管理部３０３は、格納部３０２に格納されている管理情報のうち、状態情報が無効化状態を示す管理情報があるかどうかを確認する。
【００３８】
予約処理が終了すると、管理部３０３は、予約処理の成否を示す予約結果通知を発券機２００に送信する。具体的には、管理部３０３は、予約処理が正常に終了した場合、予約処理の成功を示す予約結果通知を送信し、エラーの発生などにより予約処理が正常に終了しなかった場合、予約処理の失敗を示す予約結果通知を送信する。
【００３９】
また、接続部３０１が受領成立通知を受信した場合、管理部３０３は、ＰＩＮコードを発行する発行処理を行う。発行処理では、例えば、管理部３０３は、予約処理にて無効化状態であることが確認された管理情報を対象管理情報としてその状態情報を有効状態に変更すると共に取引ＩＤを採番して対象管理情報に加え、また、対象管理情報に対して受領成立通知内の購入金額情報を残高情報として加える。
【００４０】
発行処理が終了すると、管理部３０３は、発行処理の成否を示す発行結果通知を発券機２００に送信する。具体的には、管理部３０３は、発行処理が正常に終了した場合、発行処理の成功を示す発行結果通知を送信し、エラーの発生などにより発行処理が正常に終了しなかった場合、発行処理の失敗を示す発行結果通知を送信する。このとき、発行処理が正常に終了した場合には、管理部３０３は、対象管理情報に含まれるＰＩＮコード及び取引ＩＤを発行結果通知に加えて送信する。
【００４１】
次に動作を説明する。
【００４２】
図４は、図１に示したプリペイド管理システム１の動作の一例を説明するためのシーケンス図である。
【００４３】
なお、ユーザは、先ず、ＯＯＨ用のスペースなどに掲示されているダミーカード１００を取得し、その後、発券機２００の入力部２０６に対してプリペイドカードの購入要求を入力する。
【００４４】
入力部２０６が購入要求を受け付けると、制御部２１０は、読取部２０８を商品コードの読み取りが可能な状態にする。そして、制御部２１０は、ユーザに対してダミーカード１００に記載された商品コードを読取部２０８にかざすように案内する案内画面を表示部２０５に表示する（ステップＳ４０１）。購入要求の入力方法としては、表示部２０５及び入力部２０６を構成するタッチパネル上に表示した所定のボタンを押下することなどが挙げられる。なお、読取部２０８を常に商品コードの読み取りが可能な状態にすることができれば、ステップＳ４０１の処理を省略することができる。
【００４５】
ユーザが商品コードを読取部２０８にかざすと、読取部２０８は、その商品コードを読み取り、制御部２１０は、読取部２０８が読み取った商品コードに商品マスタ管理装置５００にて対応づけられている商品情報を取得する（ステップＳ４０２）。
【００４６】
制御部２１０は、商品情報に含まれる商品ＩＤに基づいて、ダミーカード１００が発券機２００に対応しているか否かを判断する（ステップＳ４０３）。ここでは、ダミーカード１００が発券機２００に対応しているものとする。この場合、制御部２１０は、ＰＩＮコードを購入する購入処理を継続するか否かを確認する決済確認画面を表示部２０５に表示する（ステップＳ４０４）。なお、ダミーカード１００が発券機２００に対応していない場合、制御部２１０は、ダミーカードが発券機２００に対応していない旨を表示部２０５に表示して、処理を終了する。
【００４７】
入力部２０６が継続確認結果情報を受け付けた場合、制御部２１０は、その継続確認結果情報が購入処理の継続を示すか否かを確認する。ここでは、継続確認結果情報が購入処理の継続を示すものとする。この場合、制御部２１０は、プリペイドカードの購入を予約する予約処理を要求する購入予約要求を、通信部２０９を介してプリペイド管理装置３００に送信する（ステップＳ４０５）。継続確認結果情報が購入処理のキャンセルを示す場合、制御部２１０は、購入処理を終了した旨を表示部２０５に表示して、処理を終了する。
【００４８】
プリペイド管理装置３００の接続部３０１が購入予約要求を受信すると、管理部３０３は、プリペイドカードの購入を予約する予約処理を実行する。具体的には、管理部３０３は、格納部３０２に記憶されている管理情報のうち、状態情報が無効状態を示す管理情報があるかどうかを確認する（ステップＳ４０６）。
【００４９】
予約処理が終了すると、管理部３０３は、予約処理の成否を示す予約結果通知を生成して、接続部３０１を介して発券機２００に送信する（ステップＳ４０７）。発券機２００の通信部２０９が予約結果通知を受信すると、制御部２１０は、その予約結果通知が予約処理の成功を示すか否かを確認する。ここでは、予約結果通知が予約処理の成功を示したとする。この場合、制御部２１０は、プリペイド管理装置３００がＰＩＮコードを発行できる状態であると判断して、ステップＳ４０２で取得した商品情報に含まれる購入金額分の現金の入金を要求する入金要求画面を表示部２０５に表示する（ステップＳ４０８）。なお、予約結果通知が予約処理の失敗を示す場合、制御部２１０は、プリペイド管理装置３００がＰＩＮコードを発行できる状態でないと判断して、異常発生情報を表示部２０５に表示し、処理を終了する。
【００５０】
入出金口２０２が現金を受け付けると、制御部２１０は、駆動部２０４を用いて現金を入出金口２０２から収納部２０１に送るとともに、入出金口２０２が受け付けた現金の金額を計算する（ステップＳ４０９）。入出金口２０２が受け付けた現金の金額が購入金額を超えると、制御部２１０は、購入金額を示す受領成立通知を生成して、通信部２０９を介してプリペイド管理装置３００に送信する（ステップＳ４１０）。
【００５１】
接続部３０１が受領成立通知を受信すると、管理部３０３は、ＰＩＮコードを発行する発行処理を行う。具体的には、管理部３０３は、ステップＳ４０６で無効化状態であることが確認された管理情報を対象管理情報としてその状態情報を有効状態に変更すると共に、取引ＩＤを採番して対象管理情報に加え、また、対象管理情報に対して受領成立通知内の購入金額情報を残高情報として加える（ステップＳ４１１）。
【００５２】
発行処理が終了すると、管理部３０３は、発行処理の成否を示す発行結果通知を生成して、接続部３０１を介して発券機２００に送信する（ステップＳ４１２）。このとき、発行処理が正常に終了した場合には、管理部３０３は、対象管理情報に含まれるＰＩＮコード及び取引ＩＤを発行結果通知に加えて送信する。
【００５３】
発券機２００の通信部２０９が発行結果通知を受信すると、制御部２１０は、その発行結果通知が発行処理の成功を示すか否かを確認する。ここでは、発行結果通知が発行処理の成功を示したとする。この場合、制御部２１０は、駆動部２０４を制御して、収納部２０１に収納されている用紙に対して、発行結果通知に含まれるＰＩＮコード及び取引ＩＤなどを印字し、その印字した用紙を発券口２０３まで搬送して、プリペイド番号通知票として、領収書とともに発券口２０３から発券する（ステップＳ４１３）。これにより、購入金額分のプリペイドを証明するＰＩＮコードが通知されることになる。なお、発行結果通知が発行処理の失敗を示す場合、制御部２１０は、異常が発生した旨の異常発生情報を表示部２０５に表示するとともに、駆動部２０４を制御して、購入金額分の現金を収納部２０１から入出金口２０２を介して返金する。
【００５４】
なお、図１〜図３を用いて説明した構成及び動作は、単なる一例であって、これらに限定されるものではない。例えば、予約処理や発行処理は、ＰＩＮコードを適切に発行することができれば、上記の処理に限定されない。
【００５５】
以上説明したように本実施形態によれば、入出金口２０２は、現金を受け付ける。読取部２０８は、プリペイドする現金の金額に対応づけられた商品コードを読み取る。制御部２１０は、読取部２０８が商品コードを読み取ると、読み取られた商品コードに対応づけられた購入金額分の現金の入金を要求し、入出金口２０２が購入金額分の現金を受け付けると、その金額分のプリペイドを証明する暗証番号を通知する。このため、現金をプリペイドした後で暗証番号が通知されるため、ユーザが現金を支払う前に第三者が暗証番号を盗み見することを防止することが可能になり、安全性を向上させることが可能になる。
【００５６】
また、本実施形態では、制御部２１０は、発券口２０３からＰＩＮコードを記載したプリペイド番号通知票を発券することで、暗証番号となるＰＩＮコードを通知する。したがって、発券機２００を用いることで、機械的な構成を変更しなくても、通知表を発行することが可能になるため、コストの低減化を図ることが可能になる。
【００５７】
また、本実施形態では、制御部２１０は、入出金口２０２が購入金額分の現金を受け付けると、通信部２０９を介してプリペイド管理装置３００からＰＩＮコードを取得し、取得したＰＩＮコードを通知する。このため、ＰＩＮコードを一括管理することが可能になる。
【００５８】
また、本実施形態では、制御部２１０は、読取部２０８が商品コードを読み取ると、プリペイド管理装置３００がＰＩＮコードを発行できる状態か否かを確認し、ＰＩＮコードを発行できる状態でない場合、異常が発生した旨の異常発生情報を通知する。このため、ＰＩＮコードを発行できない場合には、現金を受け付ける前に異常を通知することが可能になるため、ユーザの負担を軽減することが可能になる。
【００５９】
また、本実施形態では、商品コードは、ダミーカード１００に印刷されている。ダミーカード１００にはＰＩＮコードが記載されていないため、ダミーカード１００は店舗などで管理されなくてもよい。したがって、ダミーカード１００を比較的自由に配布することが可能になり、プリペイドカードをより簡単に販売することが可能になる。また、上述したように、商品コードがシール等に表示されている場合でも、同様の効果が生じる。
【００６０】
（他の実施形態）
第１の実施形態では、プリペイドカードを購入するためのコードである商品コードは、ダミーカード１００に印刷されていたが、スマートフォンのようなユーザ端末の表示部に表示されてもよい。この場合、ユーザ端末は、例えば、ユーザからの指示に従って所定のサーバなどから商品コードを示すコード情報を取得し、そのコード情報にて示される商品コードを自身（携帯端末）の表示部に表示する。
【００６１】
また、図５に示すように発券機２００に近距離無線通信を行う近距離通信部２１１をさらに設け、制御部２１０は、ＰＩＮコード及び取引ＩＤを示す情報を近距離通信部を介してユーザ端末に送信することで、ＰＩＮコードを通知してもよい。近距離無線通信の方式は、特に限定されないが、例えば、赤外線通信などである。この場合、プリペイド方式のカードレス化を図ることが可能になる。
【００６２】
以上説明した実施形態において、図示した構成は単なる一例であって、本発明はその構成に限定されるものではない。
【００６３】
例えば、発券機２００及びプリペイド管理装置３００の機能は、その機能を実現するためのプログラムを、コンピュータにて読み取り可能な記録媒体に記録して、この記録媒体に記録されたプログラムをコンピュータに読み込ませ実行させることで、実現されてもよい。
【００６４】
また、各実施形態では、プリペイドカードの購入金額は、商品マスタ管理装置５００にて商品コードに対応づけられた商品情報に含まれていたが、発券機２００の記憶部２０７やプリペイド管理装置３００の格納部３０２に記憶されていてもよい。この場合、購入金額は商品コードと対応付けられて記憶されており、発券機２００の制御部２１０は、商品コードと対応する購入金額を記憶部２０７又は格納部３０２から取得する。
【００６５】
また、プリペイド管理装置３００の機能の少なくとも一部が発券機２００に備わっていてもよい。
【符号の説明】
【００６６】
１    プリペイド管理システム
１００    ダミーカード
２００    発券機
２０１    収納部
２０２    出金口
２０３    発券口
２０４    駆動部
２０５    表示部
２０６    入力部
２０７    記憶部
２０８    読取部
２０９    通信部
２１０    制御部
２１１    近距離通信部
３００    プリペイド管理装置
３０１    接続部
３０２    格納部
３０３    管理部
４００    通信ネットワーク
５００    商品マスタ管理装置
【図１】
2020107165.tif 000003
【図２】
2020107165.tif 000004
【図３】
2020107165.tif 000005
【図４】
2020107165.tif 000006
【図５】
2020107165.tif 000007